(57)【特許請求の範囲】
【請求項１】
互いに同心的に往復動可能に組み付けたハウジング（１）と往復動軸（２）との環状間隙を密封するものであって、前記ハウジング（１）側に保持された金属材製の環状部材（３）の内周側に一体的に設けられ、前記往復動軸（２）の外周面と密封接触している弾性材性のオイルリップ（４）と、前記オイルリップ（４）よりも外部側（Ｘ）に位置し、前記往復動軸（２）の外周面と密封接触している弾性材製のダストリップ（５）と、前記環状部材（３）の外部側（Ｘ）側面（３１）に当接すると共に、その内周側部（７１）が、前記環状部材（３）に一体的に設けられた弾性材製の環状の固定リップ（６）により保持された金属材製のワッシャー（７）とよりなるアブソーバ用シールにおいて、前記固定リップ（６）に円周上等配に切欠き部（６１）を設けたことを特徴とするアブソーバ用シール。
【請求項２】
前記固定リップ（６）の先端側には、前記ワッシャー（７）の軸方向移動を阻止する様に前記ワッシャー（７）の側面に当接している係止部（６２）が設けられていることを特徴とする請求項１記載のアブソーバ用シール。
【請求項３】
前記切欠き部（６１）は、前記固定リップ（６）の付け根部（６３）近傍まで達するカット部であることを特徴とする請求項１または２記載のアブソーバ用シール。
【請求項４】
前記切欠き部（６１）は、前記係止部（６２）が存在する領域にのみ設けられていることを特徴とする請求項２記載のアブソーバ用シール。
【発明の詳細な説明】
【技術分野】
【０００１】
本発明は、アブソーバ用シールに係り、更に詳しくは、ショックアブソーバのロッドシール部に用いられるアブソーバ用シールに関するものである。
【背景技術】
【０００２】
従来、ショックアブソーバのロッドシール等として用いられるアブソーバ用シールとしては、図４に示すようなものがある。
【０００３】
図４に示すアブソーバ用シールは、互いに同心的に往復動可能に組み付けたハウジング１００と往復動軸２００との環状間隙を密封するものであって、ハウジング１００側に保持された金属材製の円盤状の環状部材３００の内周側に一体的に設けられ、往復動軸２００の外周面と密封接触しているゴム状弾性材性のオイルリップ４００と、このオイルリップ４００よりも外部側Ｘに位置し、往復動軸２００の外周面と密封接触しているゴム状弾性材製のダストリップ５００と、環状部材３００の外部側Ｘ（図上上方）の側面３１０に当接すると共に、その内周側部７１０が、環状部材３００に一体的に設けられた弾性材製の環状の固定リップ６００により保持された金属材製のワッシャー７００とより構成されている。
【０００４】
このワッシャー７００は、環状部材３００がハウジング１００側に締め付け固定される際の変形を防止する為に使用されるものである。
すなわち、ワッシャー７００及び環状部材３００は、ロッドガイド１０１の軸方向端面１０１１（図上上端）と、アウターチューブ１０３外周面に螺合しているキャップ１０２の軸方向端面１０２１（図上下端）との間で挟持されている。
【０００５】
そして、ワッシャー７００は、図４に示す状態に組み込まれるまでの間、環状部材３００側と一体化された状態を保つ事が、アブソーバ用シールの取り扱い性及び組み込み性を向上させる為に重要である。
この為、ワッシャー７００の内周側が、弾性材製の環状の固定リップ６００により、嵌合保持される構成としている。
【０００６】
ワッシャー７００が、環状部材３００側から脱落しない様に、固定リップ６００との間に大きな嵌合力（締め代）を設けると、ワッシャー７００を環状部材３００側に固定保持させる事が困難であった。
逆に、ワッシャー７００を環状部材３００側に容易に固定保持できる様に、固定リップ６００との間を弱い嵌合力（締め代）とすると、アブソーバ用シールが組み込まれる前に、ワッシャー７００が環状部材３００側から脱落する問題を惹起した。
【先行技術文献】
【特許文献】
【０００７】
【特許文献１】特開２００５−９０６０６号公報
【発明の概要】
【発明が解決しようとする課題】
【０００８】
このようなアブソーバ用シールの課題は、ワッシャーを環状部材側に容易に固定保持できると共に、ワッシャーが、環状部材側から脱落する事の無い、アブソーバ用シールの取り扱い性及び組み込み性を改善することにある。
【課題を解決するための手段】
【０００９】
本発明のアブソーバ用シールは、互いに同心的に往復動可能に組み付けたハウジングと往復動軸との環状間隙を密封するものであって、前記ハウジング側に保持された金属材製の環状部材の内周側に一体的に設けられ、前記往復動軸の外周面と密封接触している弾性材性のオイルリップと、前記オイルリップよりも外部側に位置し、前記往復動軸の外周面と密封接触している弾性材製のダストリップと、前記環状部材の外部側側面に当接すると共に、その内周側部が、前記環状部材に一体的に設けられた弾性材製の環状の固定リップにより保持された金属材製のワッシャーとよりなるアブソーバ用シールにおいて、前記固定リップに円周上等配に切欠き部を設けたことを特徴とする。
【発明の効果】
【００１０】
本発明は、以下に記載されるような効果を奏する。
請求項１記載の発明のアブソーバ用シールによれば、ワッシャーを環状部材側に容易に固定保持できると共に、ワッシャーが、環状部材側から脱落する事の無い為、アブソーバ用シールの取り扱い性及び組み込み性が良好である。
また、請求項２記載の発明のアブソーバ用シールによれば、ワッシャーが、環状部材側から脱落する事をより確実に阻止出来る。
【００１１】
更に、請求項３記載の発明のアブソーバ用シールによれば、ワッシャーを環状部材側により容易に固定保持できる。
更にまた、請求項４記載の発明のアブソーバ用シールによれば、ワッシャーが、環状部材側から脱落する事をより確実に阻止出来ると共に、ワッシャーを環状部材側に容易に固定保持できる。
【図面の簡単な説明】
【００１２】
【図１】本発明の第１の態様のアブソーバ用シールが、アブソーバに組み込まれた部分縦断面図。
【図２】図１に使用されたアブソーバ用シール単体の断面図。
【図３】本発明の第２の態様のアブソーバ用シールを図２と同様に示した断面図。
【図４】従来技術に係るアブソーバ用シールが、アブソーバに組み込まれた部分縦断面図。
【発明を実施するための形態】
【００１３】
以下、本発明を実施するための最良の形態について説明する。
図１乃至図３に基づき発明を実施するための最良の形態について説明する。
【００１４】
図１及び図２において、本発明に係る第１の態様のアブソーバ用シールは、互いに同心的に往復動可能に組み付けたハウジング１と往復動軸２との環状間隙を密封するものであって、ハウジング１側に保持された金属材製の円盤状の環状部材３の内周側に一体的に設けられ、往復動軸２の外周面と密封接触しているゴム状弾性材性のオイルリップ４と、このオイルリップ４よりも外部側Ｘに位置し、往復動軸２の外周面と密封接触しているゴム状弾性材製のダストリップ５と、環状部材３の外部側Ｘ（図上上方）の側面３１に当接すると共に、その内周側部７１が、環状部材３に一体的に設けられた弾性材製の環状の固定リップ６により保持された金属材製のワッシャー７とより構成されている。
【００１５】
このワッシャー７は、環状部材３がハウジング１側に締め付け固定される際の変形を防止する為に使用されるものである。
すなわち、ワッシャー７及び環状部材３は、ロッドガイド１１の軸方向端面１１１（図上上端）と、アウターチューブ１３外周面に螺合しているキャップ１２の軸方向端面１２１（図上下端）との間で挟持されている。
そして、ワッシャー７は、図１に示す状態に組み込まれるまでの間、環状部材３側と一体化された状態を保つ事が、アブソーバ用シールの取り扱い性及び組み込み性を向上させる為に重要である。
この為、ワッシャー７の内周側が、弾性材製の環状の固定リップ６により、嵌合保持される構成としている。
【００１６】
そして、この固定リップ６には、円周上等配に設けた切欠き部６１が設けられている。
この切欠き部６１は、円周上４箇所に、９０度間隔で、等配に設けられており、固定リップ６の付け根部６３近傍まで達している。
この為、ワッシャー７を環状部材３側に容易に固定保持できる。
切欠き部６１の数は、２個以上存在すれば良く、４個に限定されるものではないが、数が多すぎると、固定リップ６の保持力が低下し、成形加工が煩雑になる為、３〜６個が好ましい。
【００１７】
また、固定リップ６の先端側には、ワッシャー７の軸方向移動を阻止する様にワッシャー７の側面に当接している係止部６２が設けられている。
この為、ワッシャー７を環状部材３側に容易に固定保持する目的の切欠き部６１が存在していても、ワッシャー７が、環状部材３側から脱落する事をより確実に阻止出来る。
【００１８】
ついで、本発明に係る第２の態様のアブソーバ用シールを、図３に基づき説明する。
先に説明した、第１の態様のアブソーバ用シールと相違する点は、切欠き部６１が、係止部６２が存在する領域にのみ設けられていることである。
この為、ワッシャー７が、環状部材３側から脱落する事を、より確実に阻止出来ると共に、ワッシャー７を環状部材３側に容易に固定保持できる。
【００１９】
また、本発明は上述の発明を実施するための最良の形態に限らず本発明の要旨を逸脱することなくその他種々の構成を採り得ることはもちろんである。
【符号の説明】
【００２０】
１    ハウジング
２    往復動軸
３    環状部材
４    オイルリップ
５    ダストリップ
６    固定リップ
７    ワッシャー
１１  ロッドガイド
１２  キャップ
１３  アウターチューブ
６１  切欠き部
６２  係止部
６３  付け根部
【図１】
0005626573.tif 000002
【図２】
0005626573.tif 000003
【図３】
0005626573.tif 000004
【図４】
0005626573.tif 000005